(57)【要約】【課題】ファンの回転に伴う騒音を抑えつつ、スイッチング素子の発熱が使用国の電源電圧に基づいて適切に抑えられる定着装置及び画像形成装置を提供する。【解決手段】定着ベルト６１の近くに配置される励磁コイル６５と、励磁コイル６５に並列に接続されるコンデンサＣと、オンとオフとの切替えにより高周波電流を生成し、生成された高周波電流を励磁コイル６５及びコンデンサＣに供給するスイッチング素子６６ａと、スイッチング素子６６ａの方向に向かわせる風を発生させるファン８１と、電源電圧の電圧値を検出する電圧検出部６６ｂと、電圧検出部６６ｂによって検出された電圧値に基づいて、ファン８１に供給する電力の電力量を調整する駆動回路９０と、を有する。【選択図】  図３
2012042891.tif 000002
【特許請求の範囲】
【請求項１】
被加熱体の近くに配置される励磁コイルと、
前記励磁コイルに直列または並列に接続されるコンデンサと、
オンとオフとの切替えにより高周波電流を生成し、生成された高周波電流を前記励磁コイル及び前記コンデンサに供給するスイッチング素子と、
前記スイッチング素子の方向に向かわせる風を発生させる発生手段と、
電源電圧の電圧値を検出する検出手段と、
前記検出手段によって検出された電圧値に基づいて、前記発生手段に供給する電力の電力量を調整する調整手段と、
を有する定着装置。
【請求項２】
前記発生手段は、パルス幅変調によって、風を発生させることを特徴とする請求項１に記載の定着装置。
【請求項３】
前記調整手段は、前記検出手段によって検出された電圧値が大きい場合に、前記発生手段に供給する電力の電力量を増やすことを特徴とする請求項１又は２に記載の定着装置。
【請求項４】
前記スイッチング素子に放熱器を設置することを特徴とする請求項１から３のいずれか１項に記載の定着装置。
【請求項５】
像保持体の表面を帯電させる帯電装置と、
前記帯電装置によって帯電させられた像保持体の表面を露光する露光装置と、
前記露光装置によって露光されて形成された静電潜像を現像剤によって現像する現像装置と、
前記現像装置によって現像されたトナー像を被転写体に転写する転写装置と、
前記転写装置によって転写されたトナー像を定着する定着装置と、を有し、
前記定着装置は、請求項１から４のいずれか１項に記載の定着装置であることを特徴とする画像形成装置。
【発明の詳細な説明】
【技術分野】
【０００１】
本発明は、定着装置及び画像形成装置に関する。
【背景技術】
【０００２】
複写機能や印刷機能を有する画像形成装置は、転写装置や定着装置を搭載する。定着装置は、転写装置によって記録用紙に転写されたトナー像を加熱して定着する。定着装置は、特許文献１に示すように、励磁コイルと定着ベルトとを有する。励磁コイルは、電磁誘導により定着ベルトを加熱する。したがって、トナー像は、定着ベルトによって加熱される。
【０００３】
励磁コイルは、コンデンサやスイッチング素子と接続されている。スイッチング素子は、オンとオフとの切替えにより高周波電流を生成する。生成された高周波電流は、励磁コイルに供給される。スイッチング素子はオンとオフとの切替えに伴い発熱する。
【０００４】
スイッチング素子の発熱量は、電源電圧の電圧値によって異なる。電源電圧の電圧値は、定着装置が使用される国によって異なる。例えば、電源電圧の電圧値が高い国で定着装置が使用されると、スイッチング素子の発熱量が増加する。電源電圧は、５〜１０％程度の誤差を有し、最大誤差の電圧が供給される場合では、発熱量がさらに大きくなる。
【０００５】
スイッチング素子の発熱は、例えば画像形成装置にファンを設け、ファンが発生させる風によって抑えられる。スイッチング素子の発熱量が大きい場合には、ファンの回転数を上げ、強い風を発生させる必要がある。このような発熱抑制では、上述した電源電圧の誤差範囲の変動も無視できない要因となっている。
【先行技術文献】
【特許文献】
【０００６】
【特許文献１】特開２００７−６６５６０号公報
【発明の概要】
【発明が解決しようとする課題】
【０００７】
本発明は、ファンの回転に伴う騒音を抑えつつ、スイッチング素子の発熱が使用国の電源電圧に基づいて適切に抑えられる定着装置及び画像形成装置を提供する。
【課題を解決するための手段】
【０００８】
請求項１に記載の発明は、被加熱体の近くに配置される励磁コイルと、前記励磁コイルに直列または並列に接続されるコンデンサと、オンとオフとの切替えにより高周波電流を生成し、生成された高周波電流を前記励磁コイル及び前記コンデンサに供給するスイッチング素子と、前記スイッチング素子の方向に向かわせる風を発生させる発生手段と、電源電圧の電圧値を検出する検出手段と、前記検出手段によって検出された電圧値に基づいて、前記発生手段に供給する電力の電力量を調整する調整手段と、を有する定着装置である。
【０００９】
請求項２に記載の発明は、請求項１に記載の発明において、前記発生手段は、パルス幅変調によって、風を発生させることを特徴としている。
【００１０】
請求項３に記載の発明は、請求項１又は２に記載の発明において、前記調整手段は、前記検出手段によって検出された電圧値が大きい場合に、前記発生手段に供給する電力の電力量を増やすことを特徴としている。
【００１１】
請求項４に記載の発明は、請求項１から３のいずれか１項に記載の発明において、前記スイッチング素子に放熱器を設置することを特徴としている。
【００１２】
請求項５に記載の発明は、像保持体の表面を帯電させる帯電装置と、前記帯電装置によって帯電させられた像保持体の表面を露光する露光装置と、前記露光装置によって露光されて形成された静電潜像を現像剤によって現像する現像装置と、前記現像装置によって現像されたトナー像を被転写体に転写する転写装置と、前記転写装置によって転写されたトナー像を定着する定着装置と、を有し、前記定着装置は、請求項１から４のいずれか１項に記載の定着装置であることを特徴とする画像形成装置である。
【発明の効果】
【００１３】
請求項１に記載の発明によれば、ファンの回転に伴う騒音を抑えつつ、スイッチング素子の発熱を使用国の電源電圧に基づいて適切に抑えることができる。
【００１４】
請求項２に記載の発明によれば、本構成を有しない場合と比較して、電力損失を軽減することができる。
【００１５】
請求項３に記載の発明によれば、スイッチング素子の発熱量が大きい場合に、強い風が発生する。
【００１６】
請求項４に記載の発明によれば、発熱抑制効果が高まる。
【００１７】
請求項５に記載の発明によれば、ファンの回転に伴う騒音を抑えつつ、スイッチング素子の発熱を使用国の電源電圧に基づいて適切に抑えることができる。
【図面の簡単な説明】
【００１８】
【図１】画像形成装置の構成図の一例である。
【図２】定着装置の構成図の一例である。
【図３】励磁回路の回路図の一例である。
【図４】高周波電源の回路基板を例示する平面図である。
【図５】ファンを駆動する駆動回路の一例である。
【図６】ＰＷＭ制御におけるデューティーを説明するためのグラフである。
【図７】１００Ｖ系における電源電圧とデューティーとの関係を例示するグラフである。
【図８】１００Ｖ系における電源電圧とＩＧＢＴの温度との関係を例示するグラフである。
【図９】２００Ｖ系における電源電圧とデューティーとの関係を例示するグラフである。
【図１０】２００Ｖ系における電源電圧とＩＧＢＴの温度との関係を例示するグラフである。
【発明を実施するための形態】
【００１９】
以下、本発明を実施するための形態について図面を参照して説明する。
【００２０】
図１は、画像形成装置１００の構成図の一例である。画像形成装置１００は、少なくとも複写機能、又は印刷機能のいずれかを有する。
画像形成装置１００は、図１に示すように、制御部１０、画像形成ユニット２０、中間転写体４０、二次転写装置５０、定着装置６０、入力部７０を含む。尚、図１において、タンデム型の画像形成装置１００を示しているが、ロータリー型の画像形成装置１００であってもよい。
【００２１】
制御部１０は、例えば、ＣＰＵ、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ、フラッシュメモリ等のＲＯＭ(Read Only Memory)及び入出力Ｉ／Ｆ（Interface）等がバスにより接続されたハードウェア構成により構成される。
【００２２】
制御部１０は、入力部７０に入力された指示に基づいて、画像形成ユニット２０を構成する各構成要素、中間転写体（例えばベルト状に形成された転写ベルト）４０、二次転写装置５０、定着装置６０の動作を制御する。このような制御は、ＣＰＵがＲＯＭ等の記憶装置に格納された所要のプログラムを読み込み、当該プログラムに従った演算を行うことにより、実現される。尚、中間転写体４０、及び／又は記録用紙Ｓにより本発明の被転写体が実現される。
【００２３】
画像形成ユニット２０は、露光装置２１、クリーニングブレード２２、帯電装置２３、像保持体の一例として感光体ドラム２５、一次転写装置２６、及び現像装置２７を含む。露光装置２１としては、例えばＬＥＤをアレイ状に並べたＬＰＨ（LED Printing Head）がある。
【００２４】
図１において、イエロー（Ｙ）、マゼンタ（Ｍ）、シアン（Ｃ）、ブラック（Ｋ）の画像形成ユニット２０は同様の構成を有する。このため、ディスペンサ２９は、マゼンタ、シアン、ブラックについても構成されるが、イエロー以外の色については省略して示している。また、ディスペンサ２９と接続されるトナーカートリッジ受け部３６及びトナーカートリッジ３５についても、イエロー以外の色については省略して示している。以下の説明では、一例として、イエローの画像形成ユニット２０を説明する。
【００２５】
ＬＰＨ２１は、ＬＥＤアレイ、駆動ＩＣ、ロッドレンズアレイを含む。ＬＰＨ２１は、制御部１０による露光量の制御に基づいて、感光体ドラム２５の表面に対して多数のＬＥＤを発光させることで露光を行う。
【００２６】
帯電装置２３は、例えば導電性弾性ローラで構成される。帯電装置２３は、制御部１０の電位制御に基づいて、感光体ドラム２５の表面を帯電させる。具体的には、帯電装置２３を感光体ドラム２５に接触させて電圧を印加すると、感光体ドラム２５は極性がプラスとなって帯電する。
【００２７】
感光体ドラム２５は、表面に光半導体（例えばａ−Ｓｉ（アモルファスシリコン））の層が形成された円柱型のアルミニウムにより構成される。感光体ドラム２５は、制御部１０の制御に基づいて、上面（又は底面）の中心を軸に回転（図１では左回転）する。感光体ドラム２５は、上述したように、帯電装置２３によって帯電し、ＬＰＨ２１が発光すると、走査された部分の帯電が消失する。そして、後述する現像装置２７から供給されるトナーが感光体ドラム２５に付着する。この結果、感光体ドラム２５は、画像情報に基づいて生成されたトナー像を保持する。
【００２８】
一次転写装置２６は、感光体ドラム２５に付着したトナー像を中間転写体４０に一次転写させる。一次転写装置２６は、制御部１０の転写電位に関する制御に基づいて、中間転写体４０にプラスの帯電を行う。この結果、感光体ドラム２５に付着したマイナス電位のトナーは、中間転写体４０に転写される。一次転写装置２６は、感光体ドラム２５と同じ方向に移動するように回転（図１では右回転）するために、中間転写体４０が矢印の方向に押し出されるように移動する。尚、一次転写された後に感光体ドラム２５にトナーが残像している場合、そのトナーは感光体ドラム２５と接触するクリーニングブレード２２によって掻き取られる。
【００２９】
現像装置２７は、磁石（マグネットロール）を内蔵した筒状のアルミニウム（以下、現像ロールという。）を含む。現像装置２７には、トナーカートリッジ３５からディスペンサ２９を介して供給されるトナーが補給される。トナーカートリッジ３５は、トナーカートリッジ受け部３６に着脱可能に装着されている。補給されたトナーは、金属性のキャリアと攪拌されてマイナスに帯電する。このトナーとキャリアのように現像に供される粉体を現像剤という。現像剤はマグネットロールの磁力により現像ロール上に磁気ブラシ状となり、感光体ドラム２５と接触する。そして、制御部１０の現像装置２７に対する電位制御に基づいて、現像ロール上のトナーを感光体ドラム２５に現像する。これにより、感光体ドラム２５上には、トナー像が形成され、このトナー像が中間転写体４０に一次転写される。
【００３０】
このように、中間転写体４０には、イエローのトナー像のほか、マゼンタ、シアン、ブラックの各トナー像が一次転写される。これら各色のトナー像は、単独で又は重なりあって画像を構成する。トナー像が重なり合う場合には、中間転写体４０が駆動し、例えば、イエローのトナー像が一次転写された部分に、マゼンタ、シアンが一次転写され、カラー画像が形成される。
【００３１】
中間転写体４０は、トナー像の一次転写がなされた後も駆動を続け、一次転写された部分は、二次転写装置５０に到達する。二次転写装置５０は、中間転写体４０に一次転写されたトナー像を記録用紙Ｓに二次転写する。記録用紙Ｓに代えて、フィルムやプラスチックなどを用いてもよい。
【００３２】
二次転写装置５０は、制御部１０の転写電位に関する制御に基づいて、記録用紙Ｓにプラスの帯電を行う。この結果、中間転写体４０に付着していたマイナス電位のトナー像は、記録用紙Ｓに吸着する。記録用紙Ｓに吸着したトナー像は、定着装置６０によって記録用紙Ｓに定着する。
【００３３】
入力部７０は、例えば操作パネルや操作ボタンによって構成される。画像形成装置１００の利用者は、入力部７０に対して入力すると、入力部７０は入力された内容に基づいて、制御部１０に指示を出力する。
【００３４】
続いて、上述した定着装置６０の詳細について図２を参照して説明する。
【００３５】
図２は、定着装置６０の構成図の一例である。
定着装置６０は、被加熱体としての定着ベルト６１、加圧ロール６２、押圧パッド６３、パッド支持部材６４、励磁コイル６５、及び励磁回路６６を含む。
【００３６】
定着ベルト６１は、無端上の周面を有するベルト部材である。定着ベルト６１は、内周面側から順に、基層、導電層、弾性層、及び表面離型層とが積層されて構成されている。特に、導電層は、励磁コイル６５が誘起する磁界により誘導発熱する層である。導電層は、例えば、鉄、コバルト、ニッケル、銅、アルミニウム、クロムなどで構成される。
【００３７】
加圧ロール６２は、定着ベルト６１の回転軸と平行に配置されている。加圧ロール６２は、両端部（紙面手前側及び奥側）に設けられた不図示のバネ部材によって定着ベルト６１側に押し上げられている。加圧ロール６２は、駆動機構６７によって矢印Ｃの方向に回転する。これにより、定着ベルト６１は、加圧ロール６２の回転に伴って矢印Ｄの方向に回転させられる。
【００３８】
押圧パッド６３は、定着ベルト６１を予め定められた圧力で外側に加圧ロール６２側に向けて押圧する。押圧パッド６３は、ゴム材などの弾性材料や耐熱性樹脂で構成される。
【００３９】
パッド支持部材６４は、加圧ロール６２から定着ベルト６１を介して押圧パッド６３に作用する押圧力を負担する。パッド支持部材６４は、例えば、アルミニウムで構成される。
【００４０】
励磁コイル６５は、定着ベルト６１の近くに配置される。励磁コイル６５には、励磁回路６６からの高周波電流が供給される。この結果、励磁コイル６５の周囲には、磁束が生成されたり消滅したりする。定着ベルト６１の導電層が励磁コイル６５からの磁束を横切ると、定着ベルト６１の導電層にはその磁界の変化を妨げるような磁界が発生する。この結果、導電層内に過電流が発生する。そして、導電層の表皮抵抗に比例したジュール熱が発生し、定着ベルト６１が加熱される。
【００４１】
尚、図２に示すように、定着装置６０に剥離補助部材６８を設けてもよい。剥離補助部材６８は、トナー像Ｔが定着した後の記録用紙Ｓを定着ベルト６１から分離するための部材である。
【００４２】
続いて、上述した励磁回路６６について図３を参照して説明する。
【００４３】
図３は、励磁回路６６の回路図の一例である。尚、励磁回路６６と整流回路７１とによって高周波電源７０を構成する。整流回路７１は、交流電源ＰＷから出力される交流を直流に整流する回路である。
【００４４】
励磁回路６６は、コンデンサＣ、スイッチング素子６６ａ、検出手段としての電圧検出部６６ｂ、及び駆動回路６６ｃを含む。スイッチング素子６６ａは、ＩＧＢＴ（Insulated Gate Bipolar Transistor：絶縁ゲート型バイポーラトランジスタ）６６ａ１とダイオードＤとを含む。尚、ダイオードＤを含めずにＩＧＢＴ６６ａ１だけでスイッチング素子６６ａとしてもよい。
【００４５】
コンデンサＣは、励磁コイル６５に並列に接続されている。コンデンサＣは、励磁コイル６５に直列に接続されていてもよい。コンデンサＣの一端は、整流回路７０に接続されている。コンデンサＣの他端は、ＩＧＢＴ６６ａ１のコレクタと接続されている。コンデンサＣは、励磁コイル６５と共にＬＣ共振回路を構成する。
【００４６】
ＩＧＢＴ６６ａ１は、整流回路７０から入力される直流に対し、オンとオフとの切替えにより高周波電流を生成する。本実施形態では、２０ｋＨｚ〜１００ｋＨｚ程度の周波数の高周波電流が生成される。ＩＧＢＴ６６ａ１は、生成された高周波電流を励磁コイル６５及びコンデンサＣに供給する。ＩＧＢＴ６６ａ１のエミッタは、整流回路７０に接続されている。ＩＧＢＴ６６ａ１のベースは、駆動回路６６ｃに接続されている。
【００４７】
ダイオードＤは、ＩＧＢＴ６６ａ１と並列に接続されている。ダイオードＤのアノードは、ＩＧＢＴ６６ａ１のエミッタと接続されている。ダイオードＤのカソードは、ＩＧＢＴ６６ａ１のコレクタと接続されている。ダイオードＤは、誘導性負荷の負荷電流を転流させる。
【００４８】
電圧検出部６６ｂは、励磁コイル６５の電圧を検出する。電圧検出部６６ｂは、検出した電圧の電圧値を駆動回路６６ｃに出力する。
駆動回路６６ｃは、電圧検出部６６ｂから出力された電圧値に基づいて、ＩＧＢＴ６６ａ１のスイッチング動作を制御する。
【００４９】
図４は、高周波電源７０の回路基板を例示する平面図である。
回路基板には、スイッチング素子６６ａのほか、発生手段としてのファン８１や種々の電子部品８２が設置されている。ファン８１は、図４の矢印に示すように、スイッチング素子６６ａの方向に向かわせる風を発生させる。ファン８１は、回路基板の側部に設置されている。
【００５０】
また、スイッチング素子６６ａには、放熱器としてのヒートシンク８３が設置されている。ヒートシンクは放熱効果を高める。
このように、スイッチング素子６６ａが発熱しても、ファン８１が発生させた風により、スイッチング素子６６ａの発熱が抑制される。この結果、ＩＧＢＴ６６ａ１の発熱に伴う素子寿命の短命化が抑えられる。
尚、ヒートシンク８３を通過して暖められた風が電子部品８２に直接当たらないようにするために、図４の矢印が逆となるような、排出ファンを用いてもよい。
【００５１】
図５は、上述したファン８１を駆動する駆動回路９０の一例である。図６は、ＰＷＭ（Pulse Width Mudulation：パルス幅変調）制御におけるデューティーを説明するためのグラフである。
【００５２】
調整手段としての駆動回路９０は、ＣＰＬＤ（Complex Programmable Logic Device）９１、ファン駆動回路９２、及び端子ｐ，ｑを含む。ＣＰＬＤ９１は、パルス信号発生部９１ａとドライバＩＣ９１ｂとを含む。駆動回路９０は、電圧検出部６６ｂによって検出された電圧値に基づいて、ファン８１に供給する電力の電力量を調整する。
【００５３】
パルス信号発生部９１ａは、電圧検出部６６ｂによって検出された電圧値に基づいて、予め定められたデューティーのパルス信号を発生させる。パルス信号発生部９１ａは、発生したパルス信号をドライバＩＣ９１ｂに出力する。例えば、検出された電圧値が１４０Ｖである場合には、図６（ａ）に示すように、デューティーが１００％であるパルス信号を発生させる。この場合、ファン８１に供給される電力の電力量は大きくなる。例えば、検出された電圧値が１００Ｖである場合には、図６（ｂ）に示すように、デューティーが６０％であるパルス信号を発生させる。この場合、通電時間は図６（ａ）に示す場合の６０％となっており、ファン８１に供給される電力の電力量は小さくなる。本実施形態では、デューティー比として６０％〜１００％の範囲のデューティーを用いるが、適宜、変更するようにしてもよい。
【００５４】
ドライバＩＣ９１ｂは、パルス信号発生部９１ａから出力されたパルス信号を受信する。ドライバＩＣ９１ｂは、受信したパルス信号に応じて、ファン駆動回路９２に供給する印加電圧を制御する。印加電圧に代えて電流値を制御してもよい。ドライバＩＣ９１ｂは、ファン駆動回路９２と接続された複数の信号線のいずれかを通じて、ファン駆動回路９２に印加電圧を供給する。尚、印加電圧の供給に使用されなかった信号線に、例えばファン８１の回転方向に関する信号を送信してもよい。
【００５５】
ファン駆動回路９２は、供給された印加電圧に応じて、ファン８１の駆動を制御する。この結果、例えば、デューティーが１００％である場合の印加電圧が供給された場合には、ファン８１の回転数は上がり、強い風が発生する。したがって、発熱抑制効果は高くなる。逆に、デューティーが６０％である場合の印加電圧が供給された場合には、ファン８１の回転数は下がり、デューティーが１００％である場合と比べて、弱い風が発生する。したがって、騒音抑制効果は高くなる。
【００５６】
端子ｐ，ｑは、ドライバＩＣ９１ｂ及びファン駆動回路９２にそれぞれ接続される。端子ｐは、ドライバＩＣ９１ｂ及びファン駆動回路９２に電力を供給する。端子ｑは、接地されている。尚、端子ｐは、画像形成装置１００に搭載された電源回路であって、高周波電源７０とは異なる電源回路に接続されている。
【００５７】
続いて、本実施形態の効果について比較例と対比しつつ説明する。
まず、電源電圧が１００Ｖ系である場合について説明する。
【００５８】
図７は、１００Ｖ系における電源電圧とデューティーとの関係を例示するグラフ、図８は、１００Ｖ系における電源電圧とＩＧＢＴ６６ａ１の温度との関係を例示するグラフである。尚、温度を測定した環境は、３２℃の室内である。
本実施形態では、電源電圧が１００Ｖ、１２７Ｖ、１４０Ｖと予め定められ、ぞれぞれの場合についてＩＧＢＴ６６ａ１の温度が測定された。
【００５９】
図７に示すように、本実施形態では、電源電圧が１００Ｖ未満である場合に、デューティーが６０％となるように予め定められた。電源電圧が１４０Ｖ超である場合には、デューティーが１００％となるように予め定められた。さらに、電源電圧が１２０Ｖである場合にデューティーが７０％と、電源電圧が１１０Ｖである場合にデューティーが６３％となるように予め定められた。そして、電源電圧を１００Ｖ、１１０Ｖ、１２０Ｖ、１４０Ｖとした場合におけるそれぞれのデューティー６０％、６３％、７０％、１００％を線分で結んで形成されたグラフを電源電圧が１００Ｖ以上１４０Ｖ以下の場合におけるグラフと定めた。これにより、電源電圧が１２７Ｖである場合には、デューティーがおよそ７５％となる。
【００６０】
図８において、破線で表されるグラフＢは比較例を示している。グラフＢは、デューティーが６０％の一定値であり、本実施形態のように、デューティーが電圧値に基づいて変化していない。このため、電源電圧が１００Ｖである場合には、ＩＧＢＴ６６ａ１の温度が８０℃であったが、１２７Ｖでは温度が８６℃となり、１４０Ｖでは温度が９４℃となった。
【００６１】
対照的に、実線で表されるグラフＡは実施形態を示している。グラフＡは、デューティーが電圧値に基づいて変化している。このため、電源電圧が１００Ｖである場合には、ＩＧＢＴ６６ａ１の温度が８０℃であったが、１２７Ｖでは温度が８３℃となり、１４０Ｖでは温度が８６℃となった。すなわち、電源電圧が上がるにつれて、ファン８１から発生する風が強くなり、ＩＧＢＴ６６ａ１の温度上昇が抑えられている。
【００６２】
次に、電源電圧が２００Ｖ系である場合について説明する。
【００６３】
図９は、２００Ｖ系における電源電圧とデューティーとの関係を例示するグラフ、図１０は、２００Ｖ系における電源電圧とＩＧＢＴ６６ａ１の温度との関係を例示するグラフである。尚、温度を測定した環境は、１００Ｖ系と同様に、３２℃の室内である。
本実施形態では、電源電圧が２００Ｖ、２４０Ｖ、２６４Ｖと予め定められ、ぞれぞれの場合についてＩＧＢＴ６６ａ１の温度が測定された。
【００６４】
図９に示すように、本実施形態では、電源電圧が２００Ｖ未満である場合に、デューティーが６５％となるように予め定められた。電源電圧が２６０Ｖ超である場合には、デューティーが１００％となるように予め定められた。さらに、電源電圧が２３０Ｖである場合にデューティーが７５％と、電源電圧が２１５Ｖである場合にデューティーが６８％となるように予め定められた。そして、電源電圧を２００Ｖ、２１５Ｖ、２３０Ｖ、２６０Ｖとした場合におけるそれぞれのデューティー６５％、６８％、７５％、１００％を線分で結んで形成されたグラフを電源電圧が２００Ｖ以上２６０Ｖ以下の場合におけるグラフと定めた。これにより、電源電圧が２４０Ｖである場合には、デューティーがおよそ８４％となる。
【００６５】
図１０において、破線で表されるグラフＤは比較例を示している。グラフＤは、デューティーが６５％の一定値であり、本実施形態のように、デューティーが電圧値に基づいて変化していない。このため、電源電圧が２００Ｖである場合には、ＩＧＢＴ６６ａ１の温度が８１℃であったが、２４０Ｖでは温度が８６℃となり、２６４Ｖでは温度が９７℃となった。
【００６６】
対照的に、実線で表されるグラフＣは実施形態を示している。グラフＣは、デューティーが電圧値に基づいて変化している。このため、電源電圧が２００Ｖである場合には、ＩＧＢＴ６６ａ１の温度が８１℃であったが、２４０Ｖでは温度が８４℃となり、２６４Ｖでは温度が８７℃となった。すなわち、２００Ｖ系であっても、電源電圧が上がるにつれて、ファン８１から発生する風が強くなり、ＩＧＢＴ６６ａ１の温度上昇が抑えられている。
【００６７】
尚、電源電圧が１００Ｖ系であっても２００Ｖ系であっても、仮に、デューティーが１００％の一定値である場合には、ファン８１から発生する風は強くなる。この場合、ＩＧＢＴ６６ａ１の発熱抑制効果は大きくなるが、ファン８１の回転に伴う騒音も増大する。このため、本実施形態のように、電源電圧の電圧値に応じて、ＩＧＢＴ６６ａ１の発熱抑制を図ると共に、ファン８１の回転数を制御してファン８１の回転に伴い発生する騒音も抑えることが望ましい。
【００６８】
以上、本発明の好ましい実施形態について詳述したが、本発明に係る特定の実施形態に限定されるものではなく、特許請求の範囲に記載された本発明の要旨の範囲内において、種々の変形・変更が可能である。
【符号の説明】
【００６９】
６０  定着装置
６１  定着ベルト
６５  励磁コイル
６６  励磁回路
６６ａ  スイッチング素子
６６ｂ  電圧検出部
８１  ファン
８３  ヒートシンク
９０  駆動回路
１００  画像形成装置
ＰＷ  交流電源
【図１】
2012042891.tif 000003
【図２】
2012042891.tif 000004
【図３】
2012042891.tif 000005
【図４】
2012042891.tif 000006
【図５】
2012042891.tif 000007
【図６】
2012042891.tif 000008
【図７】
2012042891.tif 000009
【図８】
2012042891.tif 000010
【図９】
2012042891.tif 000011
【図１０】
2012042891.tif 000012